【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
ガスタービンと、蒸気タービンと、前記ガスタービンの排熱を利用して前記蒸気タービンを駆動させるための蒸気を発生する排熱回収ボイラと、前記ガスタービンと蒸気タービンで駆動される発電機を備えた複数の発電設備と、該発電設備の起動時に使用する補助蒸気を供給する補助蒸気供給源とを備えた発電プラントの運転装置であって、
運転装置は、当該発電プラントに対して給電指令装置から要求された要求電力を入力する要求電力入力手段と、前記要求電力を受けた時に、指定時刻通りの電力供給を可能とする前記発電設備の起動過程をスケジューリングするとともに、スケジューリングされた当該起動過程において使用する補助蒸気の必要量を求めるスケジューリング手段と、該スケジューリング手段における前記発電設備の起動過程のスケジューリングで定まる手順に従い前記発電設備の起動操作を実行する軸制御装置と、前記スケジューリング手段で求めた前記補助蒸気の必要量を事前に確保し供給すべく前記補助蒸気供給源を制御する補助蒸気制御装置を備えることを特徴とする発電プラントの運転装置。
【請求項２】
前記補助蒸気供給源とは、蒸気を発生する補助ボイラであり、他からの蒸気を蓄積しておく補助蒸気タンクであり、先行して起動している他の発電設備である請求項１記載の発電プラントの運転装置であって、
前記発電設備のスケジューリング状況を考慮して補助蒸気供給源を選択する補助蒸気供給元決定手段を備え、前記補助蒸気制御装置は、前記補助蒸気供給元決定手段が定めた補助蒸気供給源を用いて、前記要求電力を、要求された時刻に供給するために必要な発電設備の補助蒸気の必要量を確保し、供給する操作を実行することを特徴とする発電プラントの運転装置。
【請求項３】
請求項１または請求項２に記載の発電プラントの運転装置であって、
前記スケジューリング手段は、発電設備停止過程についての停止スケジュール計算機能を備えており、前記給電指令装置からの要求が発電設備停止後の再起動の指令である時に、現在稼働中の先行発電設備の停止過程を前記停止スケジュール計算機能により求めるとともに、再起動する後行発電設備の起動過程をスケジューリングし、停止スケジュールの中で前記先行発電設備から補助蒸気を抽出し再起動過程で必要となる補助蒸気量を確保することを特徴とする発電プラントの運転装置。
【請求項４】
請求項３に記載の発電プラントの運転装置であって、
停止時に実施する停止スケジュール計算において、各発電設備の次回起動時に必要な蒸気量を算出し起動時に必要な各発電設備の合計蒸気量を確保する運転方法を決定するスケジュール計算を実施することを特徴とする発電プラントの運転装置。
【請求項５】
請求項３または請求項４に記載の発電プラントの運転装置であって、
発電設備停止前に実施する停止スケジュール計算および次回起動予定の起動スケジュール計算の両計算の実施時において、各発電設備の順次起動時に必要な合計蒸気量から前記補助ボイラの起動により発生する蒸気量および停止する運転設備から抽出する蒸気量を差し引いた差分蒸気量を補助ボイラから補助蒸気タンクへ保管する蒸気量とするスケジュール計算を実施することを特徴とする発電プラントの運転装置。
【請求項６】
請求項２から請求項５のいずれか１項に記載の発電プラントの運転装置であって、
前記補助ボイラと前記補助蒸気タンクと前記他の発電設は補助蒸気ヘッダに連結されており、補助ボイラから補助蒸気ヘッダへ送気するために必要な補助ボイラ蒸気供給弁、補助蒸気ヘッダから補助蒸気タンクへ送気するために必要な補助蒸気タンク蒸気供給弁、必要な補助蒸気量を保管する補助蒸気タンクを接続するために必要な補助蒸気タンク間の蒸気連絡弁、およびこれらの弁の開閉タイミングを制御し最適に補助蒸気タンクに必要蒸気量を確保するスケジュール計算を実施することを特徴とする発電プラントの運転装置。
【請求項７】
請求項６に記載の発電プラントの運転装置であって、
全発電設備が完全停止している状況から各発電設備を順次起動させるタイミングにおいて、補助ボイラを起動させて各発電設備の起動用蒸気として使用するにあたり、補助ボイラの発生蒸気だけでは各発電設備が順次起動するために必要とする蒸気量が不足する場合、各発電設備を起動させる前に補助ボイラを予め起動させ、補助ボイラから発生した補助蒸気を補助蒸気タンクに一時的に保管することにより、この保管蒸気を各発電設備の起動時に必要な蒸気として使用し、発電プラント全体として補助蒸気使用量の制約を受けないスケジュール計算を実施することを特徴とする発電プラントの運転装置。
【請求項８】
請求項６に記載の発電プラントの運転装置であって、
１組以上の発電設備が運転している状況から全発電設備を停止させた後、再度１組以上を起動させるタイミングにおいて、発電設備起動に必要な蒸気量を発電設備の停止過程時に運転中発電設備の排熱回収ボイラから蒸気を抽出して補助蒸気タンクへ一時的に保管して、この保管蒸気を各発電設備が起動時に必要な蒸気量として使用し、各発電設備に関係する起動所要時間分のみを考慮したスケジュール計算を実施することを特徴とする発電プラントの運転装置。
【請求項９】
請求項８に記載の発電プラントの運転装置であって、
１発電設備以上の発電設備が運転している状況から全発電設備を停止させた後、再度１発電設備以上を起動させるタイミングにおいて、発電設備起動に必要な蒸気量を発電設備の停止過程時に運転発電設備の排熱回収ボイラから蒸気を抽出して補助蒸気タンクへ一時的に保管しておくことにより、この保管蒸気を各発電設備が起動時に必要な蒸気量として使用する時、起動対象発電設備が規定時間幅での順次起動を行うと補助蒸気タンクに保管した蒸気量だけでは不足する場合、補助蒸気タンクの保管蒸気を使用した発電設備が起動する間に補助ボイラが起動完了するスケジュールとし、補助蒸気タンクのみでは軸起動時に不足する蒸気量を補助ボイラと合わせた合計蒸気量で運転を可能とするスケジュール計算を実施することを特徴とする発電プラントの運転装置。
【請求項１０】
請求項８に記載した発電プラントの運転装置であって、
１発電設備以上の発電設備が運転している状況から全発電設備を停止させた後、再度１発電設備以上を起動させるタイミングにおいて、発電設備起動に必要な蒸気量を発電設備の停止過程時に運転発電設備の排熱回収ボイラから蒸気を抽出して補助蒸気タンクへ一時的に保管しておくことにより、この保管蒸気を各発電設備が起動時に必要な蒸気量として使用する時、起動対象発電設備が規定時間幅での順次起動を行うと補助蒸気タンクに保管した蒸気量だけでは不足する場合、補助蒸気タンクの蒸気で発電設備が順次起動していくことになるため、順次起動発電設備において起動時刻の遅い発電設備を起動させる場合、順次起動発電設備の早い時刻に起動した発電設備は自発電設備から他発電設備へ蒸気を供給できる起動完了状態するスケジュールとし、補助蒸気タンクのみでは不足する蒸気量を運転発電設備からの発生蒸気と合わせた合計蒸気量で運転を可能とするスケジュール計算を実施することを特徴とする発電プラントの運転装置。
【請求項１１】
請求項９または請求項１０に記載した発電プラントの運転装置であって、
１発電設備以上の発電設備が運転している状況から全発電設備を停止させた後、再度１発電設備以上を起動させるタイミングにおいて、補助蒸気タンクに一時的に保管した蒸気量だけでは不足する蒸気量を、補助ボイラを起動させて蒸気を確保するのか、もしくは早めに起動した発電設備からの抽出蒸気を利用して蒸気を確保するのかの最適な方法を運転員の手動での選択とするか、若しくは自動で選択するかの機能を有したスケジュール計算を実施することを特徴とする発電プラントの運転装置。
【請求項１２】
請求項６に記載した発電プラントの運転装置であって、
１発電設備以上の発電設備が運転している状況から全発電設備を停止させた後、再度１発電設備以上を起動させるタイミングにおいて、発電設備起動に必要な蒸気量を発電設備の停止過程時に運転発電設備の排熱回収ボイラから蒸気を抽出して補助蒸気タンクへ一時的に保管することにより、抽出する蒸気量分だけ運転発電設備の発電用蒸気量が減少することになり、結果的に発電出力が降下するため必要発電量が確保できなる場合に、抽出蒸気量を発電量に影響しない範囲で抽出蒸気量を減少させるために蒸気抽出時間帯を長くするのか、もしくは複数運転発電設備から蒸気抽出する運転制御を実施することにより必要発電量を確保するスケジュール計算を実施することを特徴とする発電プラントの運転装置。
【請求項１３】
ガスタービンと、蒸気タービンと、前記ガスタービンの排熱を利用して前記蒸気タービンを駆動させるための蒸気を発生する排熱回収ボイラと、前記ガスタービンと蒸気タービンで駆動される発電機を備えた複数の発電設備と、該発電設備の起動時に使用する補助蒸気を供給する複数の補助蒸気供給源とを備えた発電プラントの運転装置であって、
運転装置は、当該発電プラントに対して給電指令装置から要求された要求電力を入力する要求電力入力手段と、前記要求電力を受けた時に、指定時刻通りの電力供給を可能とする前記発電設備の起動過程をスケジューリングするとともに、スケジューリングされた当該起動過程において使用する補助蒸気の必要量を求めるスケジューリング手段と、該スケジューリング手段における前記発電設備の起動過程のスケジューリングで定まる手順に従い前記発電設備の起動操作を実行する軸制御装置と、前記スケジューリング手段で求めた前記補助蒸気の必要量を事前に確保し供給すべく前記補助蒸気供給源を制御する補助蒸気制御装置と、前記発電設備のスケジューリング状況を考慮して補助蒸気供給源を選択する補助蒸気供給元決定手段を備えることを特徴とする発電プラントの運転装置。
【請求項１４】
請求項１３に記載した発電プラントの運転装置であって、
前記発電設備のスケジューリング状況として、スケジューリングされた時間関係及びスケジューリングされたプロセス量の大小関係から、使用する補助蒸気供給元の優先順位を決定することを特徴とする発電プラントの運転装置。